(57)【要約】  【課題】  【解決手段】  ワイヤレスデバイスがワイヤレスキャリアで記録した後、記録プロセスがプロビジョニングサーバで開始する。プロビジョニングサーバは、ワイヤレスデバイスのデバイス識別子と、ワイヤレスキャリアの識別子の少なくとも一方に基づいて、データベースからデータベース情報を引き出す。この情報は、プロビジョニングサーバによって、（ｉ）集中管理サービスを提供する中継サーバのアドレス情報、又は、（ｉｉ）事業ネットワークのアドレス情報を返送するかどうかを決定するために使用することができる。【選択図】    図２
2008514043.tif 000002
【特許請求の範囲】
【請求項１】
通信を取り扱う方法において：
ワイヤレスキャリアネットワークからワイヤレスデバイス識別子とワイヤレスキャリアネットワーク識別子を受信するステップと；
前記受信したデバイス識別子及び／又はワイヤレスキャリアネットワーク識別子に基づいて、データベースからデータベース情報を取り出すステップと；
前記データベース情報の少なくとも一部に基づいて、（ｉ）集中管理サービスを提供するサーバのアドレス情報と（ｉｉ）事業ネットワークのアドレス情報の一つを返送するステップと；
を具えることを特徴とする方法。
【請求項２】
請求項１に記載の方法において、前記データベース情報が前記ワイヤレスキャリアネットワークの能力情報を具えることを特徴とする方法。
【請求項３】
請求項２に記載の方法において、前記能力情報が、前記ワイヤレスキャリアネットワークがメッセージを保存し送信するかどうかの表示；前記ワイヤレスキャリアネットワークがメッセージをアドレスする際にワイヤレスデバイスと事業の特徴識別子を使用するかどうかの表示；前記ワイヤレスキャリアネットワークが一又はそれ以上のその他のワイヤレスキャリアネットワークと相互作用して、事業と当該事業に関連するワイヤレスデバイス間でメッセージを通信するかどうかの表示；または前記ワイヤレスキャリアネットワークが前記ワイヤレスデバイスにメッセージをプッシュしたかどうかの表示のうちのいずれか一つ、または組み合わせを具えることを特徴とする方法。
【請求項４】
請求項１ないし３のいずれかに記載の方法が更に：
集中管理サービスを提供する前記サーバの負荷を表示する負荷情報を受信するステップと；
前記データベース内のデータベース情報として前記負荷情報を保存するステップと；
を具えることを特徴とする方法。
【請求項５】
請求項１ないし４のいずれかに記載の方法が更に、前記デバイスの識別子を伴うデバイス能力情報を受信するステップを具え、前記アドレス情報を返送するステップが前記デバイス能力情報の一部に基づくことを特徴とする方法。
【請求項６】
請求項１ないし５のいずれかに記載の方法において、前記データベース情報が前記デバイス識別子と関連するサービス情報品質を具えることを特徴とする方法。
【請求項７】
請求項１ないし６のいずれかに記載の方法において、前記識別子を受信するステップが、前記デバイスからのレジストレーションメッセージを受信するステップを具えることを特徴とする方法。
【請求項８】
請求項１ないし７のいずれかに記載の方法において、前記アドレス情報を返送するステップが、前記デバイス識別子に対応するデバイスにアドレスした応答メッセージにおけるこのような情報を返送するステップを具えることを特徴とする方法。
【請求項９】
請求項８に記載の方法において、前記応答メッセージが、前記デバイスからの将来のセットアップメッセージを指示する表示を具えることを特徴とする方法。
【請求項１０】
請求項９に記載の方法において、前記表示がタイムアウトインターバルを表示することを特徴とする方法。
【請求項１１】
請求項１ないし１０のいずれかに記載の方法において、前記返送するステップが、前記ワイヤレスキャリアネットワークを返送するステップであることを特徴とする方法。
【請求項１２】
プロビジョニングサーバにおいて：
データベースと；
ワイヤレスキャリアネットワークからワイヤレスデバイス識別子とワイヤレスキャリアネットワーク識別子とを受信し；
前記受信したデバイス識別子及び／又はワイヤレスキャリアネットワーク識別子に基づいて、前記データベースからデータベース情報を取り出し；
前記データベース情報の少なくとも一部に基づいて、（ｉ）集中管理サービスを提供するサーバのアドレス情報と、（ｉｉ）事業ネットワークのアドレス情報の一方を返送する；
ように動作可能なプロセッサと；
を具えることを特徴とするプロビジョニングサーバ。
【請求項１３】
請求項１２に記載のサーバにおいて、前記データベース情報が、前記ワイヤレスキャリアネットワークの能力情報を具えることを特徴とするサーバ。
【請求項１４】
請求項１２又は１３に記載のサーバにおいて、前記プロセッサが更に：
集中管理サービスを提供するサーバ上の負荷を表示する負荷情報を受信し；
前記負荷情報をデータベース情報として前記データベースに保存する；
ように動作可能であることを特徴とするサーバ。
【請求項１５】
請求項１２ないし１４のいずれかに記載のサーバにおいて、前記データベース情報が更に、デバイス能力情報を具えることを特徴とするサーバ。
【請求項１６】
請求項１２ないし１５のいずれかに記載のサーバにおいて、前記データベース情報が更に、前記デバイス識別に関連するサービス情報品質を具えることを特徴とするサーバ。
【請求項１７】
請求項１２ないし１６のいずれかに記載のサーバにおいて、前記プロセッサがまた、タイムアウトインターバルを返送するように動作可能であることを特徴とするサーバ。
【請求項１８】
請求項１２ないし１７のいずれかに記載のプロビジョニングサーバのプロセッサによって実行可能なコンピュータ指令を含むコンピュータで読み取り可能な媒体であって、前記プロビジョニングサーバを請求項１ないし１１に記載のいずれかの方法によって動作させることを特徴とする媒体。
【請求項１９】
機械で読み取り可能な媒体に担持させたコンピュータプログラムコードであって、当該コンピュータプログラムコードが請求項１２ないし１７のいずれかに記載のプロビジョニングサーバのプロセッサによって実行可能であり、請求項１ないし１１に記載のいずれかの方法によって前記プロビジョニングサーバを動作させることを特徴とするプログラムコード。
【発明の詳細な説明】
【技術分野】
【０００１】
発明の背景
コンピュータネットワーク事業は、遠隔ワイヤレスデバイスを用いた事業ネットワークへのアクセスを従業員に提供することを望んでいる。様々な地理的領域にサービスを提供するために、様々なワイヤレスネットワークキャリアがある。従来、事業ネットワークにワイヤレスデバイスによるアクセスを提供するためには、まず、事業は必要な地理的カバレージを決定しなければならなかった。次いで、事業は、それと共に、必要な地理的カバレージを提供する一またはそれ以上のワイヤレスキャリアを確認しなければならなかった。次いで、事業は、確認したキャリアの各々にアプローチして、事業ネットワークとワイヤレスキャリア間のプライベート通信ライン（しばしば、専用回線と呼ばれる）を整えなくてはならなかった。その後、これらのワイヤレスキャリヤのうちの一のワイヤレスネットワークの地理的範囲にあるワイヤレスデバイスが、ワイヤレスネットワークを用いた事業ネットワークにアクセスすることができるようになり、ワイヤレスネットワークと事業ネットワークとの間に通信ラインを構成することができた。
【０００２】
このやり方の明らかな欠点は、広域の地理的領域にわたって事業ネットワークとワイヤレス通信を可能にすることを望んでいる事業が、多くの異なるワイヤレスキャリアで構成し、この構成を維持しなければならないことである。更に、接続を切られた（すなわち、カバレージ領域のいずれにおいてもオフである、あるいは接続していない）ワイヤレスデバイス用のメッセージを、事業ネットワークによって保持する必要があった。このことは、ワイヤレスデバイスがメッセージを、どのワイヤレスキャリアを用いて次のレジスタに一時記録する（ワイヤレスキャリアのカバレージ領域内で入力された結果、あるいは、オンにされた結果）のかがわからないという理由による。事業ネットワークは、送信できるまで送達不可能なメッセージを扱うあるいは効率よく扱うようには構成されておらず、このことは問題があるということがわかった。また、所定のワイヤレスデバイスのいずれもが、様々な各ワイヤレスネットワークに入るときに、通常、異なる（典型的には、ＩＰ）アドレスが割り当てられる。各ワイヤレスデバイスの現アドレスへのマッピングを維持することは、事業ネットワークの責任になる。
【０００３】
これらの問題およびその他の困難に取り組むために、ワイヤレス通信用の集中管理サービスを提供する集中型通信施設が考えられた。包括的地理的カバレージを提供するために、集中型通信施設と多くの様々なワイヤレスキャリアとの間での接続が取り決められた。更に、集中管理サービスに加入している事業用に、集中型通信施設は、ワイヤレスデバイスが現在接続されているか否かにかかわらず、いずれかのワイヤレスデバイス用の事業ネットワークからのメッセージを受信するであろう。所定のワイヤレスデバイスの接続が切れている場合、集中型通信施設がメッセージを保存して、所定のワイヤレスデバイスに、このデバイスが含まれるワイヤレスキャリアの一つを用いて次のレジスタにメッセージを一次記録して、メッセージを送るであろう。更に、集中型通信施設は、適宜のマッピングテーブルを保持することによって、所定のワイヤレスキャリアがそのワイヤレスデバイスに割り当てるアドレスが何であっても、許可を受けた各ワイヤレスデバイスと事業ネットワークを通信させる。更に、従来は、ワイヤレスキャリアは、ウエブブラウザ技術を用いている。このように、所定のワイヤレスキャリアを用いてレジスタに一時記録されたワイヤレスデバイスへのメッセージが、ワイヤレスキャリアによって保存され、ワイヤレスデバイスによって、ワイヤレスキャリアから能動的に取り出されなくてはならない。逆に、Gilhuly et al.に２００４年３月２日に発行された米国特許第６，７０１，３７８号に記載されている技術を用いて、集中型通信施設がワイヤレスデバイスの上にメッセージをプッシュするように構成してもよい。この特許の内容はここに引用されている。
【０００４】
公開インターネット上での仮想プライベートネットワーク（ＶＰＮｓ）の出現で、事業ネットワークとワイヤレスキャリア間の専用回線は、多くの場合必要がなくなった。このことは、キャリア相互協定と共に、一つのワイヤレスキャリアとのみサービス協定を締結する場合でも、広域カバレージを確保することがより困難でなくする。さらに、より新しいワイヤレスキャリアは、プッシュ技術を使用して、保存しているメッセージや、送信しているメッセージの切断を操作して、事業ネットワークからの問題に取り組むワイヤレスデバイスをオフロードしたかもしれない。このような能力の高いワイヤレスキャリアとキャリア相互協定によって、前述した集中型通信施設は、望まない加算がなされて高価なものになってしまった。
【０００５】
本発明は、この潜在的な問題の改善を求めるものである。
【０００６】
発明の要約
ワイヤレスデバイスが、ワイヤレスキャリアを用いてレジスタに一時記録した後、プロビジョニングサーバで一時記録プロセスが開始する。このプロビジョニングサーバは、ワイヤレスデバイスのデバイス識別子とワイヤレスキャリアの識別子のうちの少なくとも一方に基づいて、データベースからデータベース情報を取り出す。この情報は、プロビジョニングサーバによって使用されて、（ｉ）集中管理サービスを提供する中継サーバのアドレス情報、または、（ｉｉ）事業ネットワークのアドレス情報、を返送するべきかどうかを決める。
【０００７】
本発明によれば、通信操作方法が提供されており、この方法は：ワイヤレスデバイス識別子とワイヤレスキャリアネットワーク識別子のうちの少なくとも一方をワイヤレスキャリアネットワークから受信するステップと；前記デバイス識別子と前記ワイヤレスキャリアネットワーク識別子のうちの少なくとも一方に基づいて、データベースからデータベース情報を取り出すステップと；前記データベース情報の少なくとも一部に基づいて、（ｉ）集中管理サービスを提供するサーバのアドレス情報と、（ｉｉ）事業ネットワークのアドレス情報の一方を返送するステップと；を具える。コンピュータで読み取り可能な媒体も提供されている。この媒体は、プロビジョニングサーバのプロセッサで実行されるときに、どの指令がプロビジョニングサーバに上述の方法を実行させるかといった、コンピュータで実行可能な指令を含む。
【０００８】
更なる態様では、プロビジョニングサーバが提供されており：データベースと；ワイヤレスデバイス識別子とワイヤレスキャリアネットワーク識別子のうちの少なくとも一方をワイヤレスキャリアネットワークから受信し、前記デバイス識別子と前記ワイヤレスキャリアネットワーク識別子のうちの少なくとも一方に基づいて、前記データベースからデータベース情報を取り出して、前記データベース情報の少なくとも一部に基づいて、（ｉ）中央管理サービスを提供するサーバのアドレス情報と、（ｉｉ）事業ネットワークのアドレス情報の一方を返送するように動作可能なプロセッサと、を具える。
【０００９】
本発明のその他の特徴及び利点は、図面を参照して以下の記載から明らかになる。
【００１０】
図面には本発明の実施例を示す。
【００１１】
詳細な説明
図１を参照すると、事業１０は、中央事業サーバ１６に接続された複数の通信デバイス１４（好適に構成されたパーソナルコンピュータ−ＰＣｓなど）で構成したスター型（Hub and spoke）事業ネットワーク１２を有する。事業サーバ１６は、公共インターネット２２に接続されている。ワイヤレスキャリアで動作する複数のワイヤレスキャリアネットワーク２４ａ、２４ｃも、中継サーバ２６と共に、公共インターネットに接続している。ワイヤレスキャリアネットワーク２４ｂなどの、追加のワイヤレスキャリアネットワークは、ライン２５などの専用回線によってアクセスされる。ワイヤレス通信デバイス３０が、ワイヤレスキャリアネットワークの一つまたはその他に接続されていても良い。各ワイヤレスデバイス３０は、事業１０と関連している。ワイヤレスデバイスは、事業ネットワーク１２のＰＣ１４にワイヤレスデバイスを直接接続することによって、事業１０と関連しており、このＰＣにおいて関連プロセスを稼動させることができる。この結果、ワイヤレスデバイスのデバイス識別子を事業ネットワークへアップロードし、ネットワーク１２からワイヤレスデバイスへ事業識別子をダウンロードすることになる。ＰＩＮで表すことができるデバイス識別子は、各ワイヤレスデバイスの特徴である（すなわち、各ワイヤレスデバイス内に一つのＰＩＮが埋め込まれている）。事業識別子は、ユーザＩＤ、すなわち、ＵＩＤとして表すことができ、通常はこれも変化しない。各ワイヤレスデバイスの別の特徴はホームアドレスである。
【００１２】
ワイヤレス集中管理サービスを提供するために、中継サーバ２６は、複数のワイヤレスキャリアネットワークとの間に設置された通信路を有する。特に、中継サーバ２６は、ＶＰＮを介して公共インターネット２２に接続される各ワイヤレスキャリアネットワーク２４ａ、２４ｃとの間に設置された通信路を有する。更に、プライベートラインを介してのみアクセス可能な各ワイヤレスキャリアネットワークは、中継サーバ２６へのプライベートラインを有するであろう。従って、例えば、ワイヤレスキャリアネットワーク２４ｂは、専用回線２５を介しての中継サーバ２６との間に設置された通信路を有する。
【００１３】
事業１０は、事業サーバ１６と公共インターネット２２間を接続するワイヤレス通信管理サーバ２０を設けることによって、ワイヤレス通信用の集中管理サービスの利益を得ることができる。管理サーバ２０は、事業識別子（ＵＩＤ）と現在の事業アドレスとを中継サーバ２６に提供する。中継サーバ内のデータベースはデバイス識別子を伴い、事業識別子と現在の事業アドレス（すなわち、事業１０のネットワーク１２のワイヤレス通信サーバ２０のアドレス）が一緒にある。
【００１４】
上述の設定によって、中継サーバ２６を伴うワイヤレス通信管理サーバ２０は、以下のようなワイヤレス通信の中央管理を提供する。ワイヤレスデバイス３０は、中継サーバ２６との間に設置された通信路を有するワイヤレスキャリアネットワーク２４ａ、２４ｂ、２４ｃの一つを用いてレジスタに一時的に記録する（従来の用法で）と、デバイス３０にワイヤレスネットワークキャリアアドレス（通常は、ＩＰである）が提供されるであろう。このデバイスは、ホームアドレスに、デバイス識別子（ＰＩＮ）と事業識別子（ＵＩＤ）を伴うレジスタメッセージを送る。このホームアドレスは、中継サーバに送られ、あるいは、典型的には、中継サーバにメッセージを転送するレジストレーションサーバに送られる。中継サーバ２６によって受信されたこのメッセージは、ワイヤレスキャリアネットワークの表示を含むであろう。ワイヤレスキャリアネットワークの識別子は、メッセージのソースアドレス（すなわち、ワイヤレスキャリアネットワークアドレス）中に必然的に含めることができ、あるいは、メッセージ中に明確に含めることができる。このメッセージを受信すると、中継サーバが、ＰＩＮを用いてワイヤレスネットワークキャリアアドレスを対応させ、自身のアドレスを持つワイヤレスデバイスにメッセージを返送する。ワイヤレスデバイス３０によって送られた次のメッセージは、中継サーバにアドレスされる。これらの続いて生じるメッセージは、ＵＩＤを含んでいても良い。ＵＩＤ（メッセージ中にあって受信された、あるいは中継サーバでＰＩＮと対応した）を使用して、中継サーバは、適宜の事業アドレスを見て、このメッセージをワイヤレス通信サーバ２０を介してネットワーク１２に送信する。
【００１５】
所定のワイヤレスデバイス３０用の事業ネットワークからのメッセージは、ネットワーク１２によって中継サーバへアドレスされ、ワイヤレスデバイスのデバイス識別子（ＰＩＮ）を含んでいる。このメッセージは、ワイヤレス通信管理サーバ２０を介して中継サーバに送られる。中継サーバが所定のワイヤレスキャリアネットワークアドレスとデバイス識別子との対応を保持していれば、メッセージがそのワイヤレスキャリアネットワークアドレスに送信される。一方で、対応がない場合は、これは、意図する受信者のワイヤレスデバイスが、包含されているワイヤレスキャリアネットワークのいずれにも現在接続されていない（すなわち、レジスタに一時的に記録されていない）ことを示す。このような状況において、中継サーバは、包含されているワイヤレスキャリアネットワークの一つと受信者のワイヤレスデバイスとの関連に気がつくまで、メッセージを単純に保存する。
【００１６】
以上から、中継サーバによって、事業ネットワークは全てのワイヤレスデバイスに対するメッセージを中継サーバに単純に送ることができることが明らかである。更に、中継サーバによって、接続が切れているワイヤレスデバイスのために、このデバイスがワイヤレスキャリアネットワークの一つに再度接続されるまでメッセージを保存することができる（すなわち、保存と送信サービス）。更に、中継サーバによって、複数のワイヤレスキャリアネットワークを介した接続、すなわち広域の地理的カバレージが可能であり、一方で、事業１０は、集中サービスを伴う単一の施設を運営すればよいだけである。
【００１７】
しかしながら、ワイヤレスキャリアネットワーク２４ｃは、集中サービスによって提供される一またはそれ以上のサービスを提供できるようにアップグレードされる。例えば、公共インターネットに接続して、以下のうちの一又はそれ以上を行うように構成することができる：メッセージの保存と送信、メッセージをワイヤレスデバイスと事業間でアドレスするときのＰＩＮｓとＵＩＤｓの使用、事業とその事業に関連するワイヤレスデバイス間でメッセージを通信するための一またはそれ以上のその他のワイヤレスキャリアネットワークの相互操作、および、メッセージのワイヤレスデバイスへのプッシュ。
【００１８】
顧客へより安価なサービスを行うために、図１のネットワーク構成を図２に示すように変形することができる。図２を参照すると、同じ一部には同じ符号が付されている。プロビジョニングサーバ５０は、中継サーバ２６と同様に、公共インターネット２２に接続されている。オプションの中央管理サービスを提供するために、プロビジョニングサーバ５０（中継サーバ２６より）は、複数のワイヤレスキャリアネットワークとの間に設置された通信路を有している。特に、プロビジョニングサーバ５０は、ＶＰＮを介して公共インターネット２２上の各ワイヤレスキャリアネットワーク２４ａ、２４ｃとの間に設置された通信路を有していても良い。更に、プライベートラインにのみアクセス可能な各ワイヤレスキャリアネットワークでは、プロビジョニングサーバ５０へのプライベートラインを有するであろう。従って、例えば、ワイヤレスキャリアネットワーク２４ｂは、専用回線２５の上のプロビジョニングサーバ５０との間に設置された通信路を有していても良い。中継サーバ２６は、例えば、公共インターネット２２の上のＶＰＮを介してプロビジョニングサーバ５０との間に設置された通信路を有している。更に、各ワイヤレスデバイスのホームアドレスが、レジストレーションサーバを指している場合は、レジストレーションサーバは、プロビジョニングサーバへそれを転送するように構成されるであろう。代替的に、レジストレーションサーバ自体をプロビジョニングサーバとして稼動させることもできる。ホームアドレスが中継サーバを直接指している場合は、プロビジョニングサーバを中継サーバに代えて、ホームアドレスがプロビジョニングサーバを指すようにする。
【００１９】
この設定と、事業１０に設けられているワイヤレス通信管理サーバ２０によって、事業は、事業識別子と、現在の事業アドレスと、事業に現在関連しているワイヤレスデバイスのデバイス識別子を提供することによって、集中管理サービスの利益を受けることができる。図３に示すように、事業識別子（ＵＩＤ）と、事業ネットワーク１２、および特に、事業ネットワークのワイヤレス通信管理サーバ２０の現在のアドレスは、中継サーバ２６のデータベース２８とプロビジョニングサーバのデータベース４８内にある。各デバイス識別子はプロビジョニングサーバ５０のデータベース４８内にある。更に、サービス品質（ＱＯＳ：quality of service）の表示が、各デバイス識別子と関連しており、プロビジョニングサーバ５０のデータベース４８に保存されている。ＱＯＳ表示は集中管理サービスの管理者によって提供され、各ＱＯＳ表示は各ワイヤレスデバイスに与えられるサービスレベルを（申し込まれたサービスプランによって）表示する。更に、プロビジョニングサーバ内のデータベース４８にも、設置された通信を有する各ワイヤレスキャリアネットワークの能力に関する情報がおかれている。各ワイヤレスキャリアネットワークについて、この能力情報は、（ｉ）ワイヤレスキャリアネットワークがメッセージを保存して送ることができるかどうか、（ｉｉ）ワイヤレスキャリアネットワークに事業デバイスとワイヤレスデバイス間でメッセージをアドレスするときにＰＩＮｓとＵＩＤｓを使用することができるかどうか、（ｉｉｉ）ワイヤレスキャリアネットワークが一またはそれ以上のその他のワイヤレスキャリアネットワークと相互作用して、事業とその事業に関連するワイヤレスデバイスとの間でメッセージを通信することができるかどうか、及び、（ｉｖ）ワイヤレスキャリアネットワークがメッセージをワイヤレスデバイスにプッシュすることができるかどうか、の表示を含む。動作中に、中継サーバ２６は、中継サーバの能力が現在どの程度使用されているかを表示する負荷情報をプロビジョニングサーバ５０に定期的に送る。この負荷情報は、プロビジョニングサーバによってデータベース４８の中に保存される。
【００２０】
プロビジョニングサーバ５０は、プログラム制御の下で稼動するプロセッサを具える。このプログラムと、データベース４８の情報は、コンピュータで読み出し可能な媒体５２からロードされる。この媒体は、例えば、コンピュータで読み出し可能なディスク、メモリチップあるいは公共インターネット上のＶＰＮ上でダウンロードされたファイルであっても良い。
【００２１】
上述したとおり、プロビジョニングサーバ５０との間に設置された通信路を有するワイヤレスキャリアネットワーク２４ａ、２４ｂ、２４ｃの一つを用いて、ワイヤレスデバイス３０がレジスタに一時的に記録した後、デバイス３０は、そのホームアドレスにデバイス識別子付のレジストレーションメッセージを送信する。しかし、ここでは、このメッセージは、プロビジョニングサーバ５０で受信される。この結果、図４を参照すると、デバイス３０から送られてきたワイヤレスキャリアネットワークの識別子を含むレジストレーション（セットアップ）メッセージ１１０は、プロビジョニングサーバ５０に送られている。通常レジストレーションメッセージを伴うので、メッセージは、デバイス識別子のみならず、ワイヤレスデバイス３０自体の能力に関する情報も含んでいる。
【００２２】
プロビジョニングサーバ５０は、ワイヤレスデバイス３０が事業ネットワークと通信する（ワイヤレス通信管理サーバ２０を介して）のに中継サーバ２６で提供される集中管理サービスを用いるべきか、あるいは、事業ネットワーク１２と直接通信する（ワイヤレス通信管理サーバ２０を介して）べきかの決定を行う。この決定は、以下の基準の一またはそれ以上に基づいて行われる：（ｉ）ワイヤレスデバイス３０がレジスタに一時的に記録しているワイヤレスキャリアネットワークの能力（データベース４８のワイヤレスキャリアネットワーク能力情報によって表される）；（ｉｉ）中継サーバ上の現在の負荷（この点に関して中継サーバから受信された最後の情報と、データベース４８に保存されている情報に基づく）；（ｉｉｉ）ワイヤレスデバイスの能力（メッセージ１１０に表示されている）；および（ｉｖ）ワイヤレスデバイスに与えられるＱＯＳ（データベース４８に保存されている）。
【００２３】
例として、決定アルゴリズムは、中継サーバ上の付加に関する一連のスレッシュホールドを提供し、より高い各負荷スレッシュホールドと関連して、中継サーバ２６を使用する権利を得るために申し込まなくてはならない、より高いＱＯＳサービスレベルを提供することができる。中継サーバを使用する権利を与えられた通信を行うには、決定アルゴリズムの二次動作が、ワイヤレスキャリアネットワーク能力情報がワイヤレスキャリアネットワークが中継サーバ２６の能力と同様のサービスを提供することを表示しており、ワイヤレスデバイスがこのようなサービスを得るためにワイヤレスキャリアネットワークとインターフェースを取ることができる場合には、ワイヤレスデバイスは中継サーバを使用する権利が与えられない旨を提供することができる。
【００２４】
決定アルゴリズムの結果、ワイヤレスデバイス３０が中継サーバ２６を使用する権利を与えられている場合、プロビジョニングサーバは、メッセージ１１２を、中継サーバ２６のアドレスと、タイムアウトインターバルを有するワイヤレスデバイスにアドレスする。
【００２５】
メッセージ１１２が中継サーバのアドレスを含んでいると仮定すると、ワイヤレスデバイス３０は、メッセージ１１４などの将来のメッセージを中継サーバにアドレスして、中継サーバは、デバイスのＰＩＮをデバイスの現在のワイヤレスネットワークキャリアアドレスに対応させて、上述したように、ワイヤレスデバイスと事業ネットワーク１２との間の通信を操作する。
【００２６】
タイムアウトインターバルは、タイマをトリガするワイヤレスデバイスに指示を行う。タイマがタイムアウトすると、ワイヤレスデバイスが指示を受けて、プロビジョニングサーバによってメッセージ１１６をそのホームアドレスに送ることによって、再びレジスタに一時的に記録する。ワイヤレスデバイスをこのように動作させるように構成する方法は、当業者には理解されるであろうから、ここで更に述べることはしない。従って、プロビジョニングサーバは、再び、ワイヤレスデバイス３０が、事業ネットワーク１２のワイヤレス通信管理サーバ２０と通信するのに中継サーバ２６で提供される集中管理サービスを使用するべきかどうか、あるいは、事業ネットワーク１２と直接通信する（ワイヤレス通信管理サーバ２０を介して）べきかどうかを決定する。中継サーバの負荷が増えるなどして状況が変わった結果、この決定アルゴリズムが、ワイヤレスデバイスが中継サーバを使用する権利が与えられていないことを表示することがある。プロビジョニングサーバは、次いで、ワイヤレス通信管理サーバ２０のアドレスを含むメッセージ１１８をワイヤレスデバイスに返送する。この結果、ワイヤレスデバイスが指示を受けて、例えばメッセージ１２０などの将来のメッセージを、事業ネットワーク１２に（ワイヤレス通信管理サーバ２０を介して）直接アドレスする。従って、ワイヤレス通信管理サーバ２０とワイヤレスデバイス３０間の将来の通信は、中継サーバ２６の介在無しに直接的に行われる。メッセージ１１８もタイムアウトインターバルを具えており、ワイヤレスデバイスが再度指示を受けて、時間インターバルの後、（例えば、メッセージ１２２を介して）再度レジスタに一時的に記録する。
【００２７】
プロビジョニングサーバ５０と、中継サーバ２６と、事業ネットワーク１２（すなわち、ワイヤレス通信管理サーバ２０）の各々のアドレスは、provisioner.central.com、relay.central.com、及び、enterprise.central.comといったネットワークアドレスであっても良い。この場合、このようなネットワークアドレスに送られるメッセージは、公開インターネット上のディレクトリネームサーバ（ＤＮＳ）によって、インターネットプロトコル（ＩＰ）アドレス（例えば、１２３．４５６．７８９）に翻訳される。代替的に、これらのアドレスはＩＰアドレスであっても良い。しかしながら、この場合、これらのアドレスは、時間がたつにつれて、アップデートする必要があるかもしれない。例えば、ワイヤレス通信管理サーバ２０のＩＰアドレスが変わったような場合、このアップデートは、ワイヤレス通信管理サーバ２０からプロビジョニングサーバ５０へ通信する必要がある。これは、現在のアドレスを、中継サーバ２６に送っているネットワーク１２によって行うことができる。中継サーバは、このアドレスをプロビジョニングサーバに送る。プロビジョニングサーバは、従って、アップデートしたメッセージを、ワイヤレス通信管理サーバ２０と現在直接通信しているあらゆるワイヤレスデバイスに送る責任がある。
【００２８】
プロビジョニングサーバと中継サーバは、同じ位置にあっても良く、あるいは、適宜のソフトウエア制御を有する単一のサーバに双方を実装することができる。更に、例示としての実施例を、単一のプロビジョニングサーバと、単一の中継サーバを用いて説明したが、それぞれのサーバは、実際には、サーバファームであっても良い。
【００２９】
その他の変形が、当業者には明らかであり、従って、本発明は請求の範囲によって規定される。
【図面の簡単な説明】
【００３０】
【図１】図１は、公知のネットワーク構造を示す概略図である。
【図２】図２は、本発明の教示を実施するネットワーク構造を示す概略図である。
【図３】図３は、図２に示すネットワークの一部を示す概略図である。
【図４】図４は、図２に示すシステムの動作を示すシーケンス図である。
【図１】
2008514043.tif 000003
【図２】
2008514043.tif 000004
【図３】
2008514043.tif 000005
【図４】
2008514043.tif 000006
【国際調査報告】
2008514043.tif 000007
2008514043.tif 000008